(57)【要約】【課題】  複数のベッドを設置した病室又は老人ホームなどの施設であって、上記各ベッド間に設置される間仕切り装置の提供。【解決手段】  間仕切り装置Ａは第１パネル１と第２パネル２、及び収納パネル３から成って第１パネルは第２パネルに設けた収容空間１６に出し入れ可能な状態で嵌り、第２パネルは収納パネルに設けた収容空間１５に出し入れ可能な状態で嵌り、上記各パネルには収容空間をスライドする為のスライド手段を設けている。そして必要に応じて上記第１パネル、第２パネル、及び収納パネルは直線状に延びて隣り合うベッド間を仕切ることが出来る。【選択図】    図１
2020193449.tif 000002
【特許請求の範囲】
【請求項１】
複数のベッドを設置した病室又は老人ホームなどの施設であって、上記各ベッド間に設置される間仕切り装置において、該間仕切り装置は第１パネルと収納パネルから成って第１パネルは収納パネルに設けた収容空間に出し入れ可能な状態で嵌り、上記各パネルには収容空間をスライドする為のスライド手段を設け、必要に応じて上記第１パネル及び収納パネルは直線状に延びて隣り合うベッド間を仕切ることが出来るようにしたことを特徴とする病室などの間仕切り装置。
【請求項２】
複数のベッドを設置した病室又は老人ホームなどの施設であって、上記各ベッド間に設置される間仕切り装置において、該間仕切り装置は第１パネルと第２パネル、及び収納パネルから成って第１パネルは第２パネルに設けた収容空間に出し入れ可能な状態で嵌り、第２パネルは収納パネルに設けた収容空間に出し入れ可能な状態で嵌り、上記各パネルには収容空間をスライドする為のスライド手段を設け、必要に応じて上記第１パネル、第２パネル、及び収納パネルは直線状に延びて隣り合うベッド間を仕切ることが出来るようにしたことを特徴とする病室などの間仕切り装置。
【請求項３】
上記スライド手段として、スライドするパネル先端部下端に車輪を取付け、また上端部にはスライド方向に対して左右の傾きを防止するガイドを設けた請求項１、請求項２記載の病室などの間仕切り装置。
【発明の詳細な説明】
【技術分野】
【０００１】
本発明は病院や老人ホームなど、各施設の大部屋に配列される複数のベッド間に設置する間仕切り装置に関するものである。
【背景技術】
【０００２】
病院には患者が入院する為の数多くの病室が設けられている。該病室は大別して個室と大部屋が存在し、個室は特定の患者一人が使い、他の患者は入居していない。その為に、病室といえどもプライバシーは守られ、自宅にいるような感覚で他人に気を使うことなく使うことが出来て心は休まる。
これに対して、大部屋の病室には複数の患者が入居し、その為に他の患者と話し合うことが出来ることで退屈することはないといった利点はあるが、個人のプライバシーは損なわれる。
【０００３】
その為に、大部屋には各ベッド間にカーテンが吊設されて、間を仕切ることが出来るようにしている。特に睡眠する際には、カーテンによって仕切ることでプライベート空間が形成される。
特開平１１−２７６３４０号に係る「間仕切り用カーテン」は、病室等への設置状態において、天井のスプリンクラーからの広域広角の散水能力を妨げないものとし、防火安全性を考慮したものである。
【０００４】
このようにカーテンを吊設することで他の患者との間が仕切られ、個人のプライベート空間が形成される。しかし、カーテンは薄い生地から成り、壁によって仕切られた空間とは違い、各自のプライバシーが十分に保護されるものではない。
そこで、近年では大部屋の各ベッド間に間仕切りパネルを設置することで、各自のプライベート空間を形成することが出来るようにしたものが色々と知られている。
【０００５】
特許第５５８８６５５号に係る「間仕切装置」は、病院の大部屋形式の病室や、高齢者用の福祉施設の複数の入居者用の居室などにおいて、室内空間を開閉自在に仕切ることができる。
そこで、前端を開口する戸袋パネルと出入り自在な移動パネルとを設け、戸袋パネルは居室の壁面Ｗを利用して床面Ｆに立設し、移動パネルを戸袋パネルの内部戸袋に出入自在に組み合わせている。
【０００６】
特開２０１０−３１４６０号に係る「医療・介護施設用間仕切り構造」は、戸袋状の扁平ケースを固定ロッドを介して天井部に固定し、扁平ケース内には仕切り体を出し入れ自在に収納している。
そこで、仕切り体の下端縁は、扁平ケース内底面に敷設した多数の受けローラ上に載置すると共に、仕切り体の前端下部には床面に接触する支持ローラを垂設し、仕切り体の上部には滑動ローラを設けている。
【０００７】
特許第４６９５５４６号に係る「収納・仕切り兼備式家具装置及び医療・介護施設」は、大部屋を準個室化するための収納・仕切り兼備式家具装置であり、収納ユニットを壁面に沿って長く延びるように配置した場合であっても、仕切り体の前向き突出寸法を大きくして仕切り機能を向上させることができる。
そこで、仕切り体上部にはランナーを取付け、下部には床面を走行する車輪を設けている。
【０００８】
これら間仕切り装置の設置には天井の工事を必要とし、その為に設置には多くの工数を必要とし、工期の期間も長くなる。その為に、患者が使用している病室に設置するには問題がある。また、現状の病室のベッド間に間仕切り装置を設置する場合、床面積が狭いために該ベッドの出し入れをスムーズに行うことが出来ない虞がある。
【０００９】
【特許文献１】特開平１１−２７６３４０号に係る「間仕切り用カーテン」
【特許文献２】特許第５５８８６５５号に係る「間仕切装置」
【特許文献３】特開２０１０−３１４６０号に係る「医療・介護施設用間仕切り構造」
【特許文献４】特許第４６９５５４６号に係る「収納・仕切り兼備式家具装置及び医療・介護施設」
【発明の開示】
【発明が解決しようとする課題】
【００１０】
このように、病院の大部屋に設置している複数の各ベッド間に、個人のプライバシーを守るために吊設したカーテン、及び間仕切り装置には上記のごとき問題がある。
本発明が解決しようとする課題はこれら問題点であり、間仕切りとして自分のプライベート空間を確保することが出来、また天井の工事を必要とせずに構造は簡単で、施工期間は短く、さらにベッドの出し入れも容易に行うことが可能な病室などの間仕切り装置を提供する。
【課題を解決するための手段】
【００１１】
本発明の間仕切り装置は、天井まで届かない第１パネル、第２パネルなどの複数パネル、及び壁面に固定される基部側の収納パネルにて構成され、第１パネルは第２パネルに設けた収容空間に収容され、また第２パネルは収納パネルの収容空間に収納される。
そこで、第１パネルを引くならば第２パネルがスライドし、上記収納パネルと第２パネル、及び第１パネルは同一面を成して一直線状に伸び、第１パネルの先端は対向する壁面に当接し、又は近づくことが出来る。ただし、伸長した間仕切り装置の上方には天井との間に大きな空間を残している。
【００１２】
上記収納パネルの後方側端は壁面に固定され、該壁面に対して垂直に延び、そして第２パネルは収納パネルからスライドして引き伸ばされる為に、スライド手段が設けられ、第２パネルの先端下端には床面を転動する第２車輪を備えている。
同じく、第１パネルは第２パネルからスライドして引き伸ばされる為に、スライド手段が設けられ、第１パネルの先端下端には床面を転動する第１車輪を備えている。
本発明の間仕切り装置は、少なくとも第１パネルと収納パネルで構成され、第１パネルと収納パネルの間にはスライドすることが出来る第２パネル、第３パネルなどのパネルを介在することが出来る。
【００１３】
ここで、上記第２パネルが収納パネルをスライドする為の具体的なスライド手段は限定せず、下端側は第２パネルを支持して滑り移動可能なスライド構造、上端側は収納パネルの収容空間の内側面に接触しないようなガイド構造を構成している。
第１パネルも第２パネルの場合と同じように、第１パネルが第２パネルをスライドする為に、下端側は第１パネルを支持して滑り移動可能なスライド構造、上端側は第２パネルの収容空間の内側面に接触しないようなガイド構造を構成している。
ここで、間仕切り装置の先端の第１パネルは収納パネルから大きく延びていて、その為に地震などの横揺れに対処するために必要に応じて横揺れ防止手段を備えることもある。ただし、具体的な構造は限定しない。
【発明の効果】
【００１４】
本発明の間仕切り装置は収納パネル、第２パネル、及び第１パネルで構成され、３枚のパネルが引き伸ばされるならば、病室などの施設に設けた大部屋は該間仕切り装置が壁となって仕切られる。該間仕切り装置はその上方が解放されていることで、完全な個室とはならないが、準個室として機能する。しかも、カーテンにて仕切った場合に比較して、十分なプライベート空間と成る。
上部は天井との間に大きな空間が形成されることで狭い個室としての圧迫感はなく、また、大部屋の天井に設置される空調装置の効果は間仕切り装置によって仕切られた全ての小部屋までゆきわたる。
【００１５】
そして、間仕切り装置は、第１パネル及び第２パネルが収納パネル内に収納されるならば、解放された大きな部屋となる。第１パネル及び第２パネルが安定して伸縮することが出来るようにスライド手段が設けられ、ガタ付くことなくスライドすることが出来る。
収納パネルに第２パネル及び第１パネルが収納されるならば、先端側には大きな開口が形成され、この開口からベッドなどの出し入れを行うことが可能となる。すなわち、間仕切り装置の設置によってベッドの出し入れに支障を来すことはない。
【図面の簡単な説明】
【００１６】
【図１】（ａ）は本発明に係る間仕切り装置を示す実施例で、各パネルが直線状に延びている場合、（ｂ）は各パネルが縮んでいる場合。
【図２】第１パネルがスライドする為のスライド手段を示す具体例。
【図３】第１パネル、第２パネル、収納パネルが直線状に延びている場合の平面図。
【図４】第１パネル、第２パネルが縮んで収納パネル内に収納されている場合で、図３の左側面図。
【図５】病室に配置した２基のベッド間に本発明の間仕切り装置を配置している場合。
【発明を実施するための形態】
【００１７】
図１は本発明に係る病室の間仕切り装置を示す実施例であり、同図の１は第１パネル、２は第２パネル、３は収納パネルを表している。同図の（ａ）は２枚のパネル１，２が床面に固定されている収納パネル３から引き伸ばされた場合、（ｂ）は２枚のパネル１，２が収縮して収納パネル３に収まった場合である。そして４は床面、５は天井、６は側壁をそれぞれ示している。そして、間仕切り装置Ａと天井５との間には大きな空間２２を有している。
この実施例では３枚のパネルから成る間仕切り装置Ａについて説明する。
【００１８】
上記収納パネル３は床面４から起立すると共に基部は側壁６に固定されて垂直に延び、該収納パネル３には先端側を開口した収容空間が設けられ、この収容空間には第２パネル２が収納される。そして、第２パネルにも先端側を開口した収容空間が形成され、該収容空間には第１パネル１が収納されて図１（ｂ）に示すように縮むことが出来る。
第１パネル１の先端部には取っ手７が取付けられていて、この取っ手７を握って操作するならば図１（ａ）のように引き伸ばされる。そして、長く伸びた間仕切り装置Ａが独りでに縮まないように第１パネル１には第１ロック１０を、第２パネル２には第２ロック１１が取付けられ、第１パネル１及び第２パネル２のスライドを規制することが出来る。
【００１９】
間仕切り装置が図１（ａ）のように引き伸ばされた場合、天井５との間に空間２２が形成され、また第１パネル１の先端は正面壁に当接する場合もあるが、該正面壁との間に空間を設けることもある。
ところで、第１パネル１は第２パネル２の収容空間に出し入れされるように、同じく第２パネル２が収納パネル３の収容空間に出し入れされるように、スライド手段を備えている。
【００２０】
第１パネル１の先端側下端には第１車輪８が取付けられ、該第１車輪８は第１パネル１の先端側を支持すると共に、第１パネル１のスライドに伴って床面４を回転移動することが出来る。
同じく、第２パネル２の先端側下端には第２車輪９が取付けられ、該第２車輪９は第２パネル２の先端側を支持すると共に、第２パネル２のスライドに伴って床面４を回転移動することが出来る。上記第１車輪８及び第２車輪９は床面４の上を回転することが出来るように、パネル下端から脚を延ばして車輪を軸支している。
【００２１】
そして、第１パネル１は第２パネル２の収容空間に収納されてスムーズに出し入れすることが出来るように、第１パネル１と第２パネル２との間にはスライド手段を設けている。
同じく、第２パネル１は収納パネル３の収容空間に収納されてスムーズに出し入れすることが出来るように、第２パネル２と収納パネル３との間にはスライド手段を設けている。
【００２２】
ここで、上記スライド手段の具体的な構造は限定しないが、第１パネル１が第２パネル２の収容空間内をガタ付くことなく、安定してスライドすることが出来るように、また第２パネル２が収納パネル３の収容空間内をガタ付くことなく、安定してスライドすることが出来ように構成している。したがって、各パネル１，２の上端部及び下端部にはスライド方向に対して左右の傾きを防止する為のガイドを設けている。
【００２３】
図２は第１パネル１と第２パネル２との間に設けているスライド手段の具体例であり、第１パネル下端１２と第２パネル２に設けた収容空間の底面との間にはスライドレール１３を介在している。従って、第１パネル１は先端に取付けた第１車輪８と上記スライドレール１３とで、スムーズにスライド移動して伸縮することが出来る。
また、第１パネル１の後方上端には第２パネル２の収容空間内で左右に傾かないようにスライド移動することが出来るガイド１４（例えば、ローラ）を設けている。
【００２４】
同じく、第２パネル２の場合も第１パネル１と同じく、その下端にはスライドレールが設けられ、上端にはガイドを取付けている。
このように、スライド手段として、各パネル１，２の先端側下端には床面を転動する車輪８，９を取付け、またスライドレール１３を介在すると共に、上端部には左右の傾きを防止するガイド１４を設けることで、第１パネル１及び第２パネル２はスムーズにスライドすることが出来る。
【００２５】
図３は収納パネル３から第２パネル２、及び第１パネルが引き出された場合の横断面図を表している具体例である。収納パネル３は対を成す２枚のパネル３ａ，３ｂから成り、両パネル３ａ，３ｂは所定の間隔をおいて床面４から垂直に起立し、パネル３ａ，３ｂの間には収容空間１５を有している。この収容空間１５には第２パネル２が収納される。
【００２６】
第２パネル２は対を成す２枚のパネル２ａ，２ｂから成り、両パネル２ａ，２ｂは所定の間隔をおいて床面４から垂直に起立し、パネル２ａ，２ｂの間には収容空間１６を有している。この収容空間１６には第１パネル１が収納される。
各パネル１，２，３の厚さは段階的に変化し、収納パネル３は最も厚く、第１パネル１は最も薄く成っている。
【００２７】
図４は図３の左側面図、すなわち第１パネル１の先端からの見た状態を表している。第１パネル１及び第２パネル２が後退して収納パネル３に収まった場合で、第２パネル２は収納パネル３の先端から一部が突出し、第１パネル１は第２パネル２の先端から一部が突出している。すなわち、図１（ｂ）に示すように階段状に段差をなして縮まることが出来る。
【００２８】
そして、第１パネル１の先端部に設けている取っ手７を持って引くならば、図１（ａ）のように長く延びるが、第１パネル１は第２パネル２から外れて分離することはなく、第２パネル２が収納パネル３から外れて分離することはない。すなわち、各パネル１，２，３は分離しないようにストッパーを取付けている。
また、伸びた状態の間仕切り装置Ａは、第１パネル１の先端に外力が働いても縮まないように第１ロック１０と第２ロック１１が設けられ、第１パネル１及び第２パネル２のスライドを規制している。
【００２９】
そして、第１パネル１の先端にはその両側に取っ手７，７を取付けており、該取っ手７，７は上下動可能としている。
該取っ手７は第１パネル１に取着した概略Ｌ型アーム２４の先端に取付けられ、取っ手７の上端に外力が作用するならば、Ｌ型アーム２４は揺動して取っ手７は降下する。そして、その下端は床面に当接する。取っ手７から外力が取り除かれるならば、Ｌ型アーム２４は反転して取っ手７は持ち上げられ、床面４から離れる。
【００３０】
第１パネル１がスライドする際には、取っ手７は図４に示すように上昇して床面４との間には隙間１７を設けている。
足腰の弱い老人がベッドから立ち上がった際に持ち手７に凭れ掛かかった場合、Ｌ型アーム２４は揺動して取っ手７は降下し、その下端は床面に当接する。取っ手７の下端には摩擦係数の高いゴムキャップ２３が固定され、その為に伸長した間仕切り装置Ａは移動することなく安定する。すなわち、取っ手７にて間仕切り装置Ａの各部位が破損しないように保護することが出来る。
【００３１】
図１（ａ）のように長く延びた間仕切り装置Ａの先端部に横揺れ防止手段を取付けることも出来る。すなわち、大きな地震が発生した際に間仕切り装置Ａの先端の横揺れを防止するための手段として、例えば落し棒を取付け、該落し棒の下端が床面４に設けた穴に嵌ることが出来る構造とすることで、横揺れが防止される。
【００３２】
図５は病室１８を表している具体例であり、該病室１８には２基のベッド１９ａ，１９ｂが所定の間隔をおいて配置されている。そして両ベッド１９ａ，１９ｂの間には本発明の間仕切り装置Ａが設置され、該間仕切り装置Ａを構成する第１パネル１、第２パネル２、及び収納パネル３は直線状に延びている。
本実施例では、間仕切り装置Ａは病室１８の側壁から延びた補助パネル２０の先端に取付けられているが、病室１８の建築壁に直接取付ける場合もある。
【００３３】
病室１８に設けた出入口には引戸２１が装着され、該引戸２１を引いて入口から患者は出入りすることが出来る。また、出入口からベッド１９ａ，１９ｂも出し入れすることが出来る。
本発明の間仕切り装置Ａは収縮することで先端側に大きな空間が形成され、この状態で該ベッド１９ｂを出入口から出すことが出来る。間仕切り装置Ａが伸びたままの状態では、壁面と第１パネル１の先端との間に形成される空間は狭く、第１パネル１がベッド１９ｂに当たってしまうが、本発明の伸縮する間仕切り装置はベッド１９ａ，１９ｂを出し入れする際にも便利である。
【符号の説明】
【００３４】
１   第１パネル
２   第２パネル
３   収納パネル
４   床面
５   天井
６   側面
７   取っ手
８   第１車輪
９   第２車輪
10   第１ロック
11   第２ロック
12   下端
13   スライドレール
14   ガイド
15   収納空間
16   収納空間
17   隙間
18   病室
19   ベッド
20   補助パネル
21   引戸
22   空間
23   ゴムキャップ
24   Ｌ型アーム
【図１】
2020193449.tif 000003
【図２】
2020193449.tif 000004
【図３】
2020193449.tif 000005
【図４】
2020193449.tif 000006
【図５】
2020193449.tif 000007